(57)【特許請求の範囲】
【請求項１】
アナログ信号である第１の信号を第１の基準レベルと比較するアナログ比較器、及び上記第１の信号から得られるディジタル信号である第２の信号を第２の基準レベルと比較するディジタル比較器を有する比較手段と、
アナログの第１の信号からディジタルの第２の信号を導出する変換器と、
第１の動作モードの間に上記アナログの第１の信号を上記変換器から分離し、第２の動作モードの間に上記アナログの第１の信号を上記変換器に接続するスイッチであって、上記ディジタルの第２の信号が、上記第２の動作モードの間に上記アナログの第１の信号から導出されるところのスイッチと、
第１の動作モードの間に上記第１の信号が上記第１の基準レベルにクランプされるように上記アナログ比較器に応答して上記第１の信号を調整し、第２の動作モードの間に上記第２の信号が上記第２の基準レベルにクランプされるように上記ディジタル比較器に応答する調整手段と、
上記スイッチ及び上記調整手段に接続され、上記調整手段及び上記スイッチに対し上記第１の動作モードと上記第２の動作モードの間で選択を行なうコントローラとを含む装置。
【発明の詳細な説明】
【０００１】
【発明の属する技術分野】
本発明は、一般的にビデオ処理システムに係り、特に、ビデオ処理システムに使用されるビデオ信号クランプ回路に関する。
【０００２】
【従来の技術】
複合テレビジョン信号により表わされた画像情報は、ルミナンス成分と、カラービデオ信号の場合の付加的なクロミナンス成分とにより定められる。輝度基準レベルはルミナンス成分の黒レベルに含まれ、かかる直流レベルの変化により望ましくない画像の輝度変化が生じる。
【０００３】
多数のビデオ入力信号を有するビデオ信号処理システムにおいて、選択された入力ビデオ信号を変えることにより、元の入力信号と新しい入力信号の黒レベルが異なるならば、望ましくない画像の輝度変化（例えば、画像のフラッシュ）が生じる。更に、ピクチャー・イン・ピクチャー（ＰＩＰ）システムのように主画像と共に従又は補助画像を表示する能力を有するテレビジョンシステムのようなビデオ信号処理システムにおいて、主画像及び従画像の輝度レベルは略同一であることが望ましい。主及び従画像を表示し得るビデオ処理システムは、主画像又は従画像の何れかとして表示するため、多数の異なるビデオ入力信号の中から個別の選択が行えるので、画像の輝度のバランスはより一層難しくなる。
【０００４】
多重入力システムにおける黒レベルの差を回避するため、黒レベル、又は、全ビデオ入力信号の中の同期期間の同期パルスのピーク（“シンク  チップ”）のような基準レベルを、共通基準レベルにクランプすることが知られている。
ビデオ入力信号が完全に共通基準レベルにクランプされたとしても、信号処理の誤差は依然として発生する。例えば、レベル比較器（“シンク  スライサ”）を含む同期信号分離器が同期成分を得るため使用されるならば、入力選択スイッチと、同期分離器との間の信号処理チャネルのオフセットは、誤差を発生する。かかる誤差は、信号処理チャネルがアナログ又はディジタルの何れであっても発生する。
【０００５】
信号処理チャネルの出力からクランプ回路までのフィードバックは、クランピング誤差を削減するため使用される。アナログフィードバッククランプは、ツマ（Ｔｕｍａ）他による米国特許第４，１９７，５５７号明細書に記載されている。先行技術のディジタルフィードバッククランプ回路は図２に示される。ディジタルフィードバッククランプ処理は、Ａ／Ｄ変換器の出力の直流レベルをディジタル比較器により定められたレベルにクランプする。
【０００６】
【発明が解決しようとする課題】
残念ながら、上記の従来のフィードバッククランプ配置は、単一のビデオ入力信号だけに対して作動する。従って、多重入力ビデオ信号処理システムにおいて、選択されていないビデオ入力信号は、選択されたビデオ入力信号と同じ直流レベルにクランプされない。そのため、上記の回路配置は、上記の如く、入力の再選択の間及び主画像とピクチャー・イン・ピクチャー画像の同時表示の間に、望ましくない画像輝度の変化に影響されやすい。
【０００７】
【課題を解決するための手段】
本発明は、入力信号を第１の基準レベルにクランプする第１の動作モードと、上記入力信号から得られた信号を第２の基準信号にクランプする第２の動作モードと、上記動作モードを選択する手段とを有するビデオ信号クランプ装置に関する。
【０００８】
【発明の実施の形態】
例えば、本発明は、多数のビデオ入力と、所定の直流基準レベル、又は、信号処理チャネルの出力信号から得られた直流基準レベルを用いるビデオ入力信号とを有するビデオ信号処理システムを考慮する。従って、選択されたビデオ信号は、信号処理チャネルの出力から得られた直流基準レベルにクランプされ、選択されていない信号は所定の直流基準レベルにクランプされる。
【０００９】
【実施例】
以下、添付図面を参照して本発明を説明する。種々の図において、同じ参照名は同一又は類似の素子を示している。
図１を参照するに、ビデオ信号処理システム、例えば、テレビジョンシステムは、Ｎ個のビデオ入力を含み、同図において、Ｎ個の入力の中の２個の入力１０１及び２０１だけが示される。第１の複合映像入力信号ＣＶ１及び第２の複合映像入力ＣＶ２は、夫々のキャパシタＣ１及びＣ２を介して、スイッチ３００及びスイッチ４００に結合される。キャパシタＣ１及びＣ２は、夫々の出力ノード１０２及び２０２を有する。キャパシタ出力ノード１０２及び２０２は、夫々のキャパシタ出力ノードにある信号の直流レベルを制御する夫々のクランプ回路に接続される。素子１００及び２００は、複合映像入力信号ＣＶ１及びＣＶ２用のクランプ回路の一部を構成する。複合映像入力信号ＣＶ２の直流レベルを制御するため使用されるクランプ回路の一部が素子２００として図１に示される。
【００１０】
図１のテレビジョンシステムは、主画像処理チャネルと、ピクチャー・イン・ピクチャー（ＰＩＰ）処理チャネルとを含む。ビデオ入力信号がＰＩＰ処理のため選択されたとき、ＰＩＰ処理チャネルによる処理後に、処理に起因したオフセットを減少させるため、選択されたビデオ信号は、クランプ配置によって、選択された入力信号から得られた直流基準レベルにクランプされる。しかし、ビデオ入力信号がＰＩＰ処理チャネルによる処理のため選択されていないときでも、選択されていないビデオ信号の直流レベルは、引き続くビデオ信号の選択が望ましくない画像の輝度変化を生じないように、直流基準レベルにクランプされる。
【００１１】
主処理チャネルは、コントローラ３５０に応答して、Ｎ個のビデオ入力信号の中の一つをアナログ・ディジタル変換器４１０に選択的に結合するスイッチ４００を有する。Ａ／Ｄ変換器４１０は、選択された入力ビデオ信号を８ビットのデータストリームに変換する。８ビットのデータストリームは櫛形フィルタ４２０に供給され、分離したディジタルルミナンスデータストリームＤＹＭ及びディジタルクロミナンスデータストリームＤＣＭに処理される。ディジタルルミナンスデータストリームＤＹＭ及びディジタルクロミナンスデータストリームＤＣＭは、夫々のディジタル・アナログ変換器４３０及び４４０により、夫々、アナログルミナンス信号ＡＹＭ及びアナログクロミナンス信号ＡＣＭに変換される。主アナログルミナンス信号ＡＹＭ及びアナログクロミナンス信号ＡＣＭは、スイッチ５００の入力端子の第１の対に結合される。
【００１２】
ＰＩＰ処理チャネルは、コントローラ３５０に応答して、Ｎ個のビデオ入力信号の中の一つをアナログ・ディジタル変換器３１０に選択的に結合するスイッチ３００を有する。Ａ／Ｄ変換器３１０は、入力ビデオ信号を、ディジタルシグナルプロセッサ（ＤＳＰ）３２０とディジタル比較器３６０とに供給される８ビットのデータストリームに変換する。ディジタルシグナルプロセッサ３２０は、コントローラ３５０に応答し、従画像又は小画像を表わすディジタルルミナンスデータストリームＤＹＰ及びディジタルクロミナンスデータストリームＤＣＰを生成するため、ディジタルビデオデータストリームを処理する。ディジタルシグナルプロセッサ３２０は、画像の成分の画素及びラインを削除することにより、従ルミナンス及びクロミナンスビデオ信号により表わされる画像のサイズを縮小する。ディジタルルミナンスデータストリームＤＹＰ及びディジタルクロミナンスデータストリームＤＣＰは、夫々のディジタル・アナログ変換器３３０及び３４０により夫々のアナログルミナンス信号ＡＹＰ及びアナログクロミナンス信号ＡＣＰに変換される。ＰＩＰアナログルミナンス信号ＡＹＰ及びアナログクロミナンス信号ＡＣＰは、スイッチ５００の入力端子の第２の対に結合される。
【００１３】
スイッチ５００は、“メイン”モードで動作するコントローラ３５０に応答して、主アナログルミナンス信号ＡＹＭ及び主アナログクロミナンス信号ＡＣＭだけをルミナンス及びクロミナンスプロセッサ６００に結合する。ルミナンス信号は、コントラスト、シャープさ、及び輝度の画像特性を制御するため処理される。クロミナンス信号は、赤色Ｒ−Ｙ、緑色Ｇ−Ｙ及び青色Ｂ−Ｙ色差信号を生成するため復調され、かつ、画像の彩度及び色調の特性を制御するため処理される。処理されたルミナンス信号Ｙと、色差信号Ｒ−Ｙ、Ｇ−Ｙ及びＢ−Ｙは、高レベルの赤色Ｒ、緑色Ｇ及び青色Ｂ信号を表示装置８００に供給する出力増幅器及びマトリックス又は“ドライバ”７００に結合される。
【００１４】
スイッチ５００は、“ＰＩＰ”モードで動作するコントローラ３５０に応答し、更に、ＰＩＰ処理チャネルにより処理されたビデオ信号が表示装置８００によってより大きい主画像内に小さい画像として表示されるように、主画像の所定の部分の間にＰＩＰアナログルミナンス信号ＡＹＰ及びクロミナンス信号ＡＣＰをルミナンス及びクロミナンスプロセッサ６００に結合する。
【００１５】
クランプ１００は、基準信号ＣＬＡＭＰ＿ＲＥＦ１、スイッチ制御信号ＡＤＣ＿ＦＢ及び選択信号ＵＳＥ＿ＡＤＣ＿ＦＢ１を受ける。同様に、クランプ２００は、基準信号ＣＬＡＭＰ＿ＲＥＦ２、ＡＤＣ＿ＦＢと同一のスイッチ制御信号及び選択信号ＵＳＥ＿ＡＤＣ＿ＦＢ２を受ける。クランプ１００とクランプ２００は類似しているので、以下の説明は主としてクランプ１００について行う。
【００１６】
夫々の基準信号ＣＬＡＭＰ＿ＲＥＦ１及びＣＬＡＭＰ＿ＲＥＦ２は、直流電圧レベルである。上記電圧レベルは、別個の電圧源又は共通の電圧源のいずれから得られても構わない。夫々の基準信号ＣＬＡＭＰ＿ＲＥＦ１及びＣＬＡＭＰ＿ＲＥＦ２の目的は、ＰＩＰ処理チャネルにより処理のため選択されない夫々のビデオ信号に対するクランピングレベルを確立することである。
【００１７】
スイッチ制御信号ＡＤＣ＿ＦＢは、上記実施例において、ＰＩＰビデオ処理チャネルにより生成される。このスイッチ制御信号は、例えば、Ａ／Ｄ変換器３１０の出力を、例えば、シンクチップレベルに対応する直流信号基準レベルを表わすディジタル語と比較することにより得られる。スイッチ制御信号ＡＤＣ＿ＦＢの目的は、ＰＩＰビデオ処理チャネルにより処理のため選択されたビデオ信号に対するクランピングレベルを確立することである。
【００１８】
選択信号ＵＳＥ＿ＡＤＣ＿ＦＢは、コントローラ３５０により生成される。コントローラ３５０の構成は本発明に関し重大ではなく、コントローラ３５０は、マイクロプロセッサ又はマイクロコントローラ回路と、状態器と、組合せ論理回路又はアナログ制御回路とにより構成してもよい。コンロトローラ３５０は、ユーザ入力、例えば、リモートコントロール入力を組み込む。
【００１９】
クランプ１００及び２００は、二つの動作モードを有し、第１の（選択されていない）モードは、ＰＩＰビデオ処理チャネルによる処理のため選択されない入力をクランプするため使用され、第２の（選択された）モードは、ＰＩＰ処理のため選択された入力をクランプするため使用される。選択されていないモード及び選択されたモードは、夫々、ＵＳＥ＿ＡＤＣ＿ＦＢ基準選択信号の論理的ローレベル及び論理的ハイレベルにより定められる。
【００２０】
上記実施例において、クランプ回路１００は、シンクチップクランプである。シンクチップクランプ１００は、カップリングキャパシタＣ１、比較器１２０、スイッチ１４０、スイッチ１５０、電流源１６０及び１７０を含む。シンクチップクランプは、任意のローパスフィルタ（図示しない）を更に有してもよい。この任意のローパスフィルタの目的は、シンクチップクランプ１００の基本動作の説明を行った後に説明する。
【００２１】
クランプされるべきビデオ信号は、カップリングキャパシタＣ１の入力端子１０１に供給される。上記実施例において、水平同期パルスは、負側に変化するパルスであり、活性化ビデオの正側に変化する範囲は画像のホワイト領域を表わす。直流の復元又はクランプされたビデオ出力信号は、キャパシタＣ１の出力端子１０２に供給される。
【００２２】
キャパシタＣ１の出力端子１０２のビデオ信号は、比較器１２０の反転入力端子に結合される。基準電位ＣＬＡＭＰ＿ＲＥＦ１は、比較器１２０の非反転入力端子に供給される。比較器１２０は、ビデオ信号の振幅が基準電位ＣＬＡＭＰ＿ＲＥＦ１よりも小さいとき、相対的に正であり、ビデオ信号の振幅が基準電位ＣＬＡＭＰ＿ＲＥＦ１よりも大きいときに相対的に負であるバイレベル出力信号を発生する。
【００２３】
非選択モード（ＵＳＥ＿ＡＤＣ＿ＦＢ＝０）において、比較器１２０のバイレベル出力は、スイッチ１４０を介してスイッチ１５０に結合される。スイッチ１５０は、比較器１２０からの相対的に正のレベルの出力に応答して閉じる。スイッチ１５０が閉じているとき、電流源１６０からの定電流がキャパシタＣ１の端子１０２に結合される。この電流は、端子１０２の信号の直流電圧レベルが増加するように、キャパシタＣ１を充電させ始める。端子１０２の信号の直流レベルが増加すると共に、比較器１２０の反転入力に印加されたビデオ信号の直流レベルは増加する。比較器１２０の反転入力のビデオ信号が比較器１２０の非反転入力のＣＬＡＭＰ＿ＲＥＦ１信号を超えたとき、比較器１２０により発生されるバイレベル出力信号は、相対的に負側に変わる。上記の相対的に負側のレベルは、スイッチ１５０を開き、これにより、電流源１６０を端子１０２から減結合させる。同時に、電流源１７０は、端子１０２のビデオ信号の直流レベルが減少するように、キャパシタＣ１を放電させ始める。電流源１７０は、端子１０２に接続され、端子１０２をドライブする傾向があるキャパシタＣ１からの電流（例えば、１ｍＡ）を、相対的に負の方のレベルまで低下させる。電流源１７０は、システムが誤りのある相対的に正側の直流レベルに上昇しないことを保証する。第１の制御ループは、端子１０２の直流レベルを基準電圧ＣＬＡＭＰ＿ＲＥＦ１の直流レベルにクランプするよう動作する。
【００２４】
選択モード（ＵＳＥ＿ＡＤＣ＿ＦＢ＝１）において、スイッチ１４０はクランプ制御信号ＡＤＣ＿ＦＢをスイッチ１５０に結合する。第２の制御ループの動作中に、スイッチ制御信号ＡＤＣ＿ＦＢは、スイッチ１５０を直接的に制御するため使用され、比較器１２０は迂回される。クランプ制御信号ＡＤＣ＿ＦＢは、Ａ／Ｄ変換器３１０の出力を、−４０ＩＲＥの基準レベルを表わすディジタル語と比較することにより得られる。スイッチ制御信号ＡＤＣ＿ＦＢは、Ａ／Ｄ変換器３１０の出力レベルが−４０ＩＲＥのクランピングレベルを超えたかどうかを示すバイレベル信号である。
【００２５】
比較器３６０に供給された瞬時ビデオ信号が、（“ブラックよりも黒い”同期パルスのチップのレベルを表わす）−４０ＩＲＥ未満の振幅レベルを含む場合を想定すると、比較器３６０のバイレベル出力ＡＤＣ＿ＦＢは相対的に正である。上記の如く、スイッチ１５０は閉じ、電流源１６０からの定電流（例えば、２５μＡ）は、端子１０２の上記信号のレベルが増加するように、キャパシタＣ１を充電させ始める。端子１０２のビデオ信号の直流レベルが増加すると共に、Ａ／Ｄ変換器３１０に供給されるビデオ信号は増大し、これに応じてＡ／Ｄ変換器３１０は、ディジタルビデオ出力信号の直流レベルを増加させる。比較器３６０に供給されたビデオ信号の瞬時的なレベルが−４０ＩＲＥよりも低下したとき、比較器３６０のバイレベル出力ＡＤＣ＿ＦＢは相対的に負に変わる。この相対的に負の信号は、スイッチ１５０を開くので、電流源１６０を端子１０２から減結合させる。同時に電流源１７０は、端子１０２の信号の直流電圧レベル、即ち、ビデオ信号の直流レベルが減少するように、キャパシタＣ１を放電させ始める。第２の制御ループは、ビデオ信号の最小振幅レベルを−４０ＩＲＥのレベルにクランプするよう動作する。
【００２６】
キャパシタＣ１の出力端子１０２からのビデオ信号は、任意のローパスフィルタ（ＬＰＦ）を介して比較器１２０に結合される。ＬＰＦは、入力ビデオ信号がルミナンスとクロミナンスの両方の成分を含む複合映像信号である場合に使用される。ＬＰＦが使用されるとき、ＬＰＦは、例えば、直列抵抗及び分路キャパシタにより構成される。ＬＰＦの３ｄＢの周波数ロールオフ点は、ノイズと、バーストを含む活性化ビデオ信号の高周波成分とを減衰させると共に、水平同期パルスを通過するよう選択される必要がある。更に、ＬＰＦの直列抵抗は、端子１０２の装荷を排除するよう十分に大きくする必要がある。
【００２７】
図４を参照するに、Ａ／Ｄ変換器回路３１０は、比較器３６０と共に示される。クランプ回路（例えば、スイッチ３００を介してクランプ１００）から受けられたアナログビデオ信号Ａ＿ＣＬＡＭＰＥＤは、Ａ／Ｄ変換器３１０Ａに結合される。Ａ／Ｄ変換器３１０Ａは、クロック信号ＣＬＯＣＫの周波数により定められたサンプリングレートで、アナログビデオ信号Ａ＿ＣＬＡＭＰＥＤを、アナログビデオ信号Ａ＿ＣＬＡＭＰＥＤの各サンプルに対応したディジタル語の系列により構成されるディジタルビデオ信号Ｄ＿ＣＬＡＭＰＥＤに変換する。上記実施例において、８ビットのＡ／Ｄ変換器が使用される。ディジタル信号Ｄ＿ＣＬＡＭＰＥＤは、（図１に示された）ディジタルシグナルプロセッサ３２０に結合される。
【００２８】
クランプ制御信号ＡＤＣ＿ＦＢは、ディジタルビデオ信号Ｄ＿ＣＬＡＭＰＥＤを比較器３６０に結合することにより得られる。クロミナンスノッチフィルタ３１０Ｂは、以下の理由のため、Ａ／Ｄ変換器３１０Ａと比較器３６０との間に挿入される。クロミナンスノッチフィルタ３１０Ｂは、ディジタルビデオ信号Ｄ＿ＣＬＡＭＰＥＤがルミナンス成分とクロミナンス成分の両方を含むとき、クロミナンス成分を取り除くため使用される。比較器３６０は、上記の如く、ディジタルビデオ信号Ｄ＿ＣＬＡＭＰＥＤを−４０ＩＲＥレベルを表わす信号と比較する。当業者は、上記の任意のクロミナンスノッチフィルタ３１０Ｂ及び比較器３６０が、例えば、別個の論理回路、状態器、ディジタルシグナルプロセッサ（ＤＳＰ）等の多様な回路により実現されることを認められるであろう。
【００２９】
Ａ／Ｄ変換器回路３１０は、多数の直列接続された抵抗により構成された抵抗ラダー回路網３１０Ｇを含む。しかし、図４には、Ｖ＋側に接続された上側の抵抗と、接地側に接続された下側の抵抗Ｒ１、Ｒ８、Ｒ２４及びＲ２５６しか示されていない。残りの抵抗は、アナログビデオ信号Ａ＿ＣＬＡＭＰＥＤをディジタルビデオ信号Ｄ＿ＣＬＡＭＰＥＤに変換するためＡ／Ｄ変換器３１０Ａにより使用される別の基準電圧ステップを決める。
【００３０】
信号ＣＬＡＭＰ＿ＲＥＦは、バッファ増幅器３１０Ｄを介して、ラダー抵抗Ｒ８の電圧レベルから得られる。この電圧は、ビデオ信号Ａ＿ＣＬＡＭＰＥＤのシンクチップに対する適当な基準レベルに対応する。ＣＬＡＭＰ＿ＲＥＦ信号は、基準信号ＣＬＡＭＰ＿ＲＥＦ１、ＣＬＡＭＰ＿ＲＥＦ２、．．．、ＣＬＡＭＰ＿ＲＥＦＮを置き換えるため、各クランプ回路に設けられる。非選択モードの基準レベルとして信号ＣＬＡＭＰ＿ＲＥＦを使用することにより、選択されていない入力ビデオ信号ＣＶ１、ＣＶ２乃至ＣＶＮは、Ａ／Ｄ変換器３１０Ａの動作範囲に直接関係した輝度レベルにクランプされる。このようにして、選択されていないビデオ信号がビデオ処理のため選択されたとき、（たとえあるとしても）望ましくない画像輝度の変化は殆ど存在しない。
【００３１】
入力ビデオ信号が処理のため選択されないとき、新規のクランプ配置は、選択されていないビデオ信号を直流電圧レベルにクランプする。選択されていないビデオ信号が次に処理のため選択されたとき、新規のクランプ回路は、クランプされたビデオ信号をＰＩＰ処理チャネルの直流レベル限界の範囲内に維持したまま、非選択モードから選択モードに変わる。選択されていないビデオ信号は選択されたビデオ信号のため要求されるレベルを近似する直流レベルに予めクランプされるので、上記の過渡的な応答はかなり素早い。上記の如く、この近似は、選択されたチャネルのＡ／Ｄ変換器のラダー回路網から得られた不活性モードのクランピングレベルを用いることにより改良される。
【００３２】
図３を参照するに、図１のシステムに類似したビデオ信号処理システムが示される。図３のテレビジョンシステムはＮ個のビデオ入力を含み、Ｎ個の入力の中の三つの入力１０１、２０１及び３０１だけが示されている。第１の複合映像入力信号ＣＶ１は、キャパシタＣ１及び（図示しない）比較器１２０と、スイッチ１４０と、スイッチ１５０と、電流源１６０及び１７０とからなるクランプ回路ＣＬＡＭＰ１によりクランプされる。第２の複合映像入力信号ＣＶ２は、キャパシタＣ２を含むクランプ回路ＣＬＡＭＰ２によりクランプされる。第３の複合映像入力信号ＣＶ３は、キャパシタＣ３を含むクランプ回路ＣＬＡＭＰ３によりクランプされる。図１のビデオ信号処理システムとは異なり、図３のシステムは、主Ａ／Ｄ変換器回路４１０又はＰＩＰ用Ａ／Ｄ変換器回路３１０からクランプ回路へのスイッチ選択可能性フィードバックを提供する。
【００３３】
２個のＡ／Ｄ変換器回路３１０及び４１０の出力信号は、コントローラ３５０に応答するフィードバックスイッチ及び比較器回路９００に結合される。フィードバックスイッチ及び比較器回路９００は、主Ａ／Ｄ変換器の出力を−４０ＩＲＥを表わすディジタル語に比較する第１の比較器と、ＰＩＰ用Ａ／Ｄ変換器の出力を−４０ＩＲＥを表わすディジタル語に比較する第２の比較器とを含む。各比較回路は、比較器３６０に関して、上記の方法で動作し、各比較器は夫々の出力信号を生成する。フィードバックスイッチ及び比較器回路９００は、いずれかの比較器の出力を、３個のクランプ回路ＣＬＡＭＰ１−ＣＬＡＭＰ３のいずれかに、クランプスイッチ制御信号ＡＤＣ＿ＦＢ１、ＡＤＣ＿ＦＢ２又はＡＤＣ＿ＦＢ３として制御的に結合するスイッチング回路網を含む。更に、フィードバックスイッチ及び比較器回路９００は、コントローラ３５０に応答して、３個の各クランプ選択信号ＵＳＥ＿ＡＤＣ＿ＦＢ１、ＵＳＥ＿ＡＤＣ＿ＦＢ２及びＵＳＥ＿ＡＤＣ＿ＦＢ３を供給する。
【００３４】
図３のビデオ信号処理システムは、主及びＰＩＰ入力ビデオ信号を、主及びＰＩＰの夫々のアナログ／ディジタル変換器回路により定められたレベルにクランプする。
上記の如く、水平同期成分を含む通常の映像信号に関して本発明の説明を行ったが、本発明は、例えば、パルス状の期間を有し、信号の振幅が信号の直流基準値に対しある関係を有するあらゆる信号に適用可能であることが認められる。
【００３５】
本発明を特定の例に関して説明したが、本発明の本質を逸脱することなく、開示された実施例に対し、変更及び変形をなし得ることが当業者には明らかである。例えば、本発明は、複合映像信号のようなある種のビデオ信号に関して説明されているが、成分ビデオ信号のような別の種類のビデオ信号が処理されたときにも適用可能である。更に、本発明は、ディジタル処理チャネルが利用される実施例を参照して説明されたが、アナログ信号処理チャネルが利用される場合にも適用可能である。従って、特許請求の範囲に記載された請求項は、上記の説明及び例から当然に導かれる全ての変形を含むことが意図されていることを理解する必要がある。
【図面の簡単な説明】
【図１】本発明を具現化する信号クランプ装置を含む多重ビデオ入力テレビジョンシステムを表わす図である。
【図２】本発明の他の面に従って、本発明の一実施例の一部分として利用された先行技術の信号クランプ装置を表わす図である。
【図３】本発明を具現化する信号クランプ装置を含む多重ビデオ入力テレビジョンシステムを表わす図である。
【図４】図１及び図３のテレビジョンシステムと共に使用するため適当なＡ／Ｄ変換器回路を表わす図である。
【符号の説明】
１００，２００    クランプ回路
１０１，２０１，３０１    ビデオ入力
１０２，２０２    キャパシタ出力端子
１２０，３６０  比較器
１４０，１５０，３００，４００，５００    スイッチ
１６０，１７０    電流源
３１０，４１０    Ａ／Ｄ変換器回路
３１０Ａ    Ａ／Ｄ変換器
３１０Ｂ    クロミナンスノッチフィルタ
３１０Ｅ    バッファ増幅器
３１０Ｇ    抵抗ラダー回路網
３２０    ディジタルシグナルプロセッサ
３３０，３４０，４３０，４４０    Ｄ／Ａ変換器
３５０    コントローラ
４２０    櫛形フィルタ
６００    ルミナンス及びクロミナンスプロセッサ
７００    ドライバ
８００    表示装置
９００    フィードバックスイッチ及び比較器回路
Ａ＿ＣＬＡＭＰＥＤ    アナログビデオ信号
ＡＣＭ    主アナログクロミナンス信号
ＡＣＰ    従アナログクロミナンス信号
ＡＤＣ＿ＦＢ１，ＡＤＣ＿ＦＢ２，ＡＤＣ＿ＦＢ３  クランプ制御信号
ＡＹＭ    主アナログルミナンス信号
ＡＹＰ    従アナログルミナンス信号
Ｃ１，Ｃ２，Ｃ３    カップリングキャパシタ
ＣＬＡＭＰ１，ＣＬＡＭＰ２，ＣＬＡＭＰ３    クランプ回路
ＣＬＡＭＰ＿ＲＥＦ１，ＣＬＡＭＰ＿ＲＥＦ２    基準信号
ＣＬＯＣＫ    クロック信号
ＣＶ１，ＣＶ２，ＣＶ３    複合映像入力
Ｄ＿ＣＬＡＭＰＥＤ    ディジタルビデオ信号
ＤＣＭ    主ディジタルクロミナンスデータストリーム
ＤＣＰ    従ディジタルクロミナンスデータストリーム
ＤＹＭ    主ディジタルルミナンスデータストリーム
ＤＹＰ    従ディジタルルミナンスデータストリーム
Ｒ１，Ｒ８，Ｒ２４，Ｒ２５６    抵抗
Ｒ，Ｇ，Ｂ    色信号
Ｒ−Ｙ，Ｇ−Ｙ，Ｂ−Ｙ    色差信号
ＵＳＥ＿ＡＤＣ＿ＦＢ１，ＵＳＥ＿ＡＤＣ＿ＦＢ２，ＵＳＥ＿ＡＤＣ＿ＦＢ３選択信号
Ｙ    ルミナンス信号
【図１】
0003540110.tif 000002
【図２】
0003540110.tif 000003
【図３】
0003540110.tif 000004
【図４】
0003540110.tif 000005